(57)【要約】【課題】入力されたＳＤＩ信号の位相特性にバラツキがあっても、映像機器にリクロック回路を付加する必要がないようなビデオジャック装置を提供する。【解決手段】ビデオジャック装置は、リクロッカ内蔵型ビデオジャックユニット９が多数配置された構成となっている。１個のリクロッカ内蔵型ビデオジャックユニット９は、系統切替を行うビデオジャックユニット４の出力側に直列にリクロッカ５が配置されている。上段の出力側ジャック６及び下段の入力側ジャック７の両方にプラグを差し込まないときは、ビデオジャックユニット４は、上段のＢＮＣコネクタ８ａからの入力信号が下段のＢＮＣコネクタ８ｂへ出力されるように回路構成される。このとき、入力信号がジッタによって位相ずれしていてもリクロッカ５が位相の再同期を行うので、ＢＮＣコネクタ８ｂから出力される出力信号は位相補償される。よって、映像機器にリクロック回路は不要となる。【選択図】        図２
2004320291.tif 000002
【特許請求の範囲】
【請求項１】
入力された映像音声信号の配線経路の系統切替を行い、前記映像音声信号を発振器によって生成されたクロック信号により再同期させ、所望の映像機器へ配信するビデオジャック装置であって、
前記配線経路を切り替えて前記映像音声信号の系統切替を行う配線経路切替手段と、
前記配線経路切替手段から送信された映像音声信号の位相を前記クロック信号に基づいて再同期させ、前記映像音声信号を所望の映像機器へ配信する再同期手段と、
前記再同期手段へ電源を供給する電源供給手段と、
を備えることを特徴とするビデオジャック装置。
【請求項２】
前記配線経路切替手段と前記再同期手段とによって映像音声信号ジャックユニットが構成され、
前記映像音声信号ジャックユニットの内部において、前記配線経路は、前記配線経路切替手段から出力された前記映像音声信号が前記再同期手段へ入力されるように形成されていることを特徴とする請求項１に記載のビデオジャック装置。
【請求項３】
前記映像音声信号ジャックユニットは、それぞれ独立した配線経路によって複数個で構成されていることを特徴とする請求項２に記載のビデオジャック装置。
【請求項４】
入力される前記映像音声信号の有無、該映像音声信号の信号状態、及び前記電源供給手段の電源状態の少なくとも一つを表示する表示手段が、前記映像音声信号ジャックユニットの表面パネルに配置されていることを特徴とする請求項２または請求項３に記載のビデオジャック装置。
【発明の詳細な説明】
【０００１】
【発明の属する技術分野】
本発明は、放送局などが映像番組の制作時にデジタル映像音声信号を伝送するときの伝送路に用いられるビデオジャック装置に関するものであり、より詳細には、配信されたハイビジョンＳＤＩ（Ｓｅｒｉａｌ  Ｄｉｇｉｔａｌ  Ｉｎｔｅｒｆａｃｅ）信号を各種の映像システムや映像機器に分配するビデオジャック装置に関するものである。
【０００２】
【従来の技術】
従来より、放送局などにおいては多数の映像システムや映像機器が設置されている。したがって、これらの多数の映像システムや映像機器の系統を変更したり、伝送されるハイビジョンＳＤＩ信号（以下、単にＳＤＩ信号という）を監視したり、あるいは伝送されるＳＤＩ信号の障害個所を切り分けたりするために、映像機器の前後や映像システム間の結合の分岐点などにビデオジャック装置が設置されている。このとき、伝送されるＳＤＩ信号は長距離伝送路や映像機器の多段接続などによって信号劣化を生じる。
【０００３】
また、従来のビデオジャック装置は、機械的な機構のみで構成されたシンプルな構造であるために伝送路そのものの、ＳＤＩ信号を確実に送るコンタクト的な信頼性は高いが、電気的には、ＳＤＩ信号がビデオジャック装置を通過する時の信号劣化を抑えるだけという受動的な機能しか備えていない。そこで、ＳＤＩ信号を伝送する映像システムの各種構成機器が、自己の信号受信部に信号劣化を補償する回路、つまりリクロック回路を付加してＳＤＩ信号の劣化に対する補償を行っている。すなわち、映像システムや映像機器はその入力段にリクロック回路を設け、入力されるＳＤＩ信号の波形整形を行ったり周波数ドリフト（つまり、ジッタ）の除去などを行っている。
【０００４】
なお、下記の特許文献１には、２次元マトリクスで構成されたルータセルを相互接続して最大パス長を低減することにより、ジッタを低減させるリクロック回路が開示されている。また、映像音声信号を分配したり切り替えたりする装置、いわゆるビデオジャック装置に関する技術は、例えば、下記の特許文献２または特許文献３に開示されている。特許文献２によれば、映像表示装置の内部に映像音声信号分配機能を有する装置（つまり、内部ビデオジャック装置）を設けることにより、外付け分配器（つまり、外部ビデオジャック装置）を用いることなく複数の映像表示装置に対して同一画像を同時に表示させることができる技術が開示されている。
【０００５】
また、特許文献３の技術には、１１２５ピクセルライン方式のシリアルデジタル信号を時分割して単位クロックのシリアルデジタル信号に変換し、５２５ピクセルライン方式のシリアルデジタル信号で特定した周波数にすることにより、１１２５ピクセルライン方式のシリアルデジタル信号と５２５ピクセルライン方式のシリアルデジタル信号を共有して切り替えることのできるビデオジャック装置の技術が開示されている。
【０００６】
【特許文献１】
特開２００２−１７１２４８号公報（段落番号００３３〜００４６、図５〜図８）
【特許文献２】
特開２０００−２９８４６２号公報（段落番号０００８〜００１６、図１〜図３）
【特許文献３】
特開２０００−１２５１９５号公報（段落番号００１１〜００３１、図１〜図４）
【０００７】
【発明が解決しようとする課題】
しかしながら、従来のビデオジャック装置では、伝送距離の長さや映像機器の接続段数などによってＳＤＩ信号の特性劣化の程度が異なるので、それぞれの伝送路の状態に対応した信号補償回路が必要となる。例えば、放送局の局外におけるＳＤＩ信号の特性劣化の状況や特性劣化の度合が様々であるにも関わらず、局内の各映像システムで同じ信号補償回路を設けていると、局内における各映像装置のＳＤＩ信号の品質レベルにバラツキが生じる。
【０００８】
したがって、局内の各映像装置や映像システムごとに個別の信号補償回路（つまり、リクロック回路）を付加したり、後段の映像装置の高性能化を個別に検討したりする必要性が生じる。その結果、映像システムや映像装置を共通化することができなかったり、リクロック回路の調整を各映像システムや映像装置ごとに個別に行わなければならなかったりなどの不具合が生じる。
【０００９】
また、前記の特許文献１に開示されている技術においても、映像システムや映像装置にリクロック回路などの信号補償回路を付加する技術が開示されているのみであり、各映像システムや各映像装置で伝送路の状態が異なる場合は個別にリクロック回路の調整を行わなければなければならないなど、依然として、映像システムや映像装置を共通化できないという問題は解決されていない。
【００１０】
さらに、前記の特許文献２及び特許文献３に開示されている技術においては、ビデオジャック装置を通過したＳＤＩ信号は信号劣化したままの状態で各映像システムや各映像装置へ入力されるので、各映像システムや各像装置に個別のリクロック回路を設けなければならない。なお、リクロック回路を使用しないで、Ｓ／Ｐ（Ｓｅｒｉａｌ／Ｐａｒａｌｌｅｌ）変換器及びＰ／Ｓ（Ｐａｒａｌｌｅｌ／Ｓｅｒｉａｌ）変換器を用いてアナログ信号で伝送路や映像機器を切り替える方式もあるが、システム設計、スペース、コスト、あるいは運用性の面などにおいて必ずしも効果的な切替方式とはいえない。
【００１１】
本発明は、前記の課題に鑑みてなされたもので、その目的とするところは、ＳＤＩ信号の特性劣化にバラツキがあっても、各映像システムや各映像機器に信号補償回路を付加する必要がなく、また簡易な構成によるビデオジャック装置を提供することにある。
【００１２】
【課題を解決するための手段】
前記の目的を達成するため、本発明のビデオジャック装置は、入力された映像音声信号の配線経路の系統切替を行い、この映像音声信号を発振器によって生成されたクロック信号により再同期させ、所望の映像機器へ配信するビデオジャック装置であって、配線経路を切り替えて映像音声信号の系統切替を行う配線経路切替手段と、配線経路切替手段から送信された映像音声信号の位相をクロック信号に基づいて再同期させ、映像音声信号を所望の映像機器へ配信する再同期手段と、再同期手段へ電源を供給する電源供給手段とを備える構成とした（請求項１）。
【００１３】
すなわち、本発明のビデオジャック装置は、映像音声信号（例えば、ハイビジョンＳＤＩ信号）の配線経路の系統切替を行う配線経路切替手段（つまり、ビデオジャックユニット）のみを備える従来のビデオジャック装置に、さらに、映像音声信号を波形整形したり周波数ドリフト（ジッタ）を除去したりするための再同期手段（つまり、リクロック回路を構成するリクロッカ）と、この再同期手段へ電源を供給する電源供給手段（つまり、電源ユニット）を付加している。
【００１４】
これによって、例えば、放送局の外部から入力された信号品質の劣化した不安定な映像音声信号をビデオジャック装置の内部で再同期（リクロック）して、信号品質の安定した映像音声信号を所望の映像機器へ配信することができる。したがって、映像音声信号を受信する映像システムや映像機器は信頼性の高い映像音声信号を受信することができるので、映像機器の受信部側に高性能（ジッタの値が例えば、１００（ピコ秒）を超えない程度）なリクロック回路などの信号補償回路を設けなくてもよい。よって、放送局内における映像システムや映像機器を簡素化することができる。
【００１５】
また、本発明のビデオジャック装置は、ＤＣ−ＤＣコンバータなどの電源供給手段（つまり、電源ユニット）を備えているので、再同期手段へ安定化した定電圧電源を供給することができる。これによって、再同期手段は安定したクロック信号を生成することができるので、常に高い信号品質レベルで再同期された映像音声信号を映像機器などへ送信することができる。尚、電源供給手段を複数台並列に接続して並列冗長回路を構成してもよい。例えば、２台の電源供給手段を並列運転して、通常は負荷分担しながら再同期手段へ電源を供給すれば、何れか１台の電源供給手段が故障しても他方の電源供給手段から継続して電源を供給するので、ビデオジャック装置の信頼性が一段と向上し、常に安定した映像音声信号を映像システムや映像機器へ配信することができる。
【００１６】
また、本発明のビデオジャック装置は、配線経路切替手段と再同期手段とによって映像音声信号ジャックユニットが構成され、この映像音声信号ジャックユニットの内部において、配線経路は、配線経路切替手段から出力された映像音声信号が再同期手段へ入力されるように形成されている構成とした（請求項２）。
【００１７】
すなわち、本発明のビデオジャック装置によれば、配線経路切替手段（ビデオジャックユニット）と再同期手段（リクロッカ）は映像音声信号ジャックユニット（つまり、リクロッカ内蔵型ビデオジャックユニット）として一体化された構成となっている。そして、配線経路切替手段から出力された映像音声信号が再同期手段へ入力されて再同期されるように配線経路が形成されている。これによって、様々な状態で信号劣化した映像音声信号が放送局に設置されたビデオジャック装置へ入力されても、このビデオジャック装置の内部において映像音声信号を再同期して信号補償を行い、所望の映像機器へ信頼性の高い映像音声信号を配信することができる。つまり、１台のビデオジャック装置から多数の映像システムや映像機器へ信号品質レベルの高い映像音声信号を配信することができる。
【００１８】
尚、配線経路切替手段は、入力された映像音声信号を内部の映像機器へ出力するための出力側ジャックと、映像機器から映像音声信号を入力して送出するための入力側ジャックとを備えている。したがって、出力側ジャックと入力側ジャックの両方にコンタクトプラグを差し込まなければ、自動的に配線経路切替手段の配線経路と再同期手段の配線経路が直列に接続される。これによって、外部から配線経路切替手段へ入力された映像音声信号は再同期手段で再同期され、信号位相が補償された映像音声信号を所望の映像機器へ配信することができる。
【００１９】
また、本発明のビデオジャック装置においては、映像音声信号ジャックユニットは、それぞれ独立した配線経路によって複数個で構成されていることを特徴とする（請求項３）。
【００２０】
すなわち、本発明のビデオジャック装置は、配線経路が独立した多数の映像音声信号ジャックユニット（リクロッカ内蔵型ビデオジャックユニット）を備えているので、例えば、外部から放送局内へ様々な種類の映像音声信号が入力されても、各映像音声信号ジャックユニットによってそれぞれの映像音声信号を個別に再同期して高品質な映像音声信号を各映像機器へ配信することができる。したがって、放送局内の各種映像機器は高性能なリクロック回路を備える必要がないので、放送局内の映像システムを簡素化することができる。また、各映像音声信号ジャックユニットはビデオジャック装置内の共通の電源供給手段（電源ユニット）によって駆動されるので、各映像音声信号ジャックユニットから出力される映像音声信号の信号品質レベルを均一に揃えることができる。
【００２１】
また、本発明のビデオジャック装置においては、入力される映像音声信号の有無、映像音声信号の信号状態、及び電源供給手段の電源状態の少なくとも一つを表示する表示手段が、映像音声信号ジャックユニットの表面パネルに配置されていることを特徴とする（請求項４）。
【００２２】
すなわち、本発明のビデオジャック装置によれば、それぞれの映像音声信号ジャックユニットの表面パネルに配置された表示手段が、外部から入力される映像音声信号の有無やＲＧＢなどの色信号の状態や電源ユニットの電源状態などを表示するので、ユーザはビデオジャック装置を監視するだけで各映像機器へ配信される映像音声信号の状態を監視することができる。尚、電源ユニットの表面パネルに共通の表示手段を配置してもよい。これによって、個別の映像音声信号ジャックユニットごとの映像音声信号の状態や電源の状態を監視することができると共に、ビデオジャック装置全体の映像音声信号の状態や電源の状態も監視することができるので、放送システムに運用性を一段と向上させることができる。
【００２３】
【発明の実施の形態】
以下、図面を用いて本発明におけるビデオジャック装置の実施の形態を詳細に説明する。まず、放送局において、映像音声信号としてＳＤＩ信号を伝送するときに用いられるビデオジャック装置について述べる。図１は、映像システムや映像機器の前後に設けたビデオジャック装置の概念図である。図１に示すように、映像システム１や映像機器２ａ，２ｂの前後には、信号系統の変更、信号の監視、信号障害発生時の系統切り分け、あるいはトラブル回避などを行うために、すなわち、ＳＤＩ信号の配線経路の系統切替を行うために、多数のビデオジャック装置３ａ，３ｂ，３ｃ，３ｄ，３ｅが設けられている。
【００２４】
このとき、例えば、ビデオジャック装置３ａへ入力されるＳＤＩ信号は信号品質が補償された状態で映像システム１などへ配信される。また、ＳＤＩ信号を伝送する場合、例えば、１．４８５ＧｂｐｓのＳＤＩ信号を５Ｃ−ＦＢのケーブルで伝送すると、１個のビデオジャック装置を通過するときに、おおよそ１０ｍの伝送経路に相当する減衰量がある。尚、ある信号をケーブルに通過させるときの減衰量は、その信号の周波数やケーブルの種類によって異なるので、一般には、減衰量に相当する伝送経路は一義的には決められない。このような事情から、本発明では、ビデオジャック装置の内部でＳＤＩ信号の再同期（以下、リクロックという）を行うことによって、放送局の局内において実質１００ｍ以上の伝送距離を確保し、かつ伝送されるＳＤＩ信号の信頼性を確保している。
【００２５】
まず、本発明におけるビデオジャック装置について説明する。図２は、本発明のビデオジャック装置を実現するためのリクロッカ内蔵型ビデオジャックユニットの外観斜視図である。図２に示すように、リクロッカ内蔵型ビデオジャックユニット（つまり、映像音声信号ジャックユニット）９は、ＳＤＩ信号の系統切替を行うために配線経路を切り替えるビデオジャックユニット（つまり、配線経路切替手段）４と、ビデオジャックユニット４の後段に設けられ、クロック信号に基づいてＳＤＩ信号を再同期（以下、リクロックという）するためのリクロッカ（つまり、再同期手段）５と、リクロッカ５に定電圧電源を供給するための電源ユニット（つまり、電源供給手段）１０とを備えた構成となっている。
【００２６】
また、リクロッカ内蔵型ビデオジャックユニット９の一方の側には上段に出力側ジャック６、下段に入力側ジャック７が設けられ、対応する他方の側には上段にＢＮＣ（Ｂａｙｏｎｅｔ  Ｎｅｉｌ  Ｃｏｎｃｅｌｍａｎ）コネクタ８ａ、下段にはＢＮＣコネクタ８ｂが設けられている。
【００２７】
次に、図２に基づいて本発明におけるビデオジャック装置の動作概要を説明する。上段の出力側ジャック６及び下段の入力側ジャック７の両方にプラグを差し込まないときは、上段のＢＮＣコネクタ８ａから入力された入力信号（つまり、外部から入力されたＳＤＩ信号）は、ビデオジャックユニット４の内部の配線経路を通過してリクロッカ５へ入力される。
【００２８】
これによって、ＢＮＣコネクタ８ａから入力された信号位相の不安定な入力信号（ＳＤＩ信号）は、リクロッカ５によってリクロックされ、ＢＮＣコネクタ８ｂより位相の安定したＳＤＩ信号が出力信号として図示しない放送機器などへ送出される。すなわち、ＢＮＣコネクタ８ａに入力された入力信号がジッタなどによって位相ずれを生じていても、リクロッカ５が入力信号の位相をリクロックするので、ＢＮＣコネクタ８ｂからは位相補償された出力信号が映像システムや映像機器へ出力される。また、電源ユニット１０からリクロッカ５へ定電圧電源を供給しているので、リクロッカ５は安定したリクロック動作を行っている。したがって、放送局内の各映像システムや各映像機器には高性能なリクロック回路は不要となる。尚、入力側に設けたリクロッカ内蔵型ビデオジャックユニット９から映像機器までの距離が長い場合は、再度、ケーブル補正回路やリクロック回路を設けることが望ましい。
【００２９】
図３は、図２に示すリクロッカ内蔵型ビデオジャックユニットの回路図の一例である。図３において、リクロッカ内蔵型ビデオジャックユニット９は、ＢＮＣコネクタ８ａから入力された入力信号（ＳＤＩ信号）の配線経路を切り替えてＳＤＩ信号の系統切替を行うビデオジャックユニット４と、このビデオジャックユニット４から出力されたＳＤＩ信号の位相をＰＬＬ発振器２１で生成されたクロック信号に基づいてリクロックさせ、ＢＮＣコネクタ８ｂより信号補償されたＳＤＩ信号を出力信号として映像機器などへ配信するリクロッカ５と、リクロッカ５へ定電圧電源を供給する電源ユニット１０とを備えた回路構成となっている。尚、このリクロッカ内蔵型ビデオジャックユニット９の回路の詳細な説明は後述する。
【００３０】
ところで、放送局内には多数の映像機器があり、これらの多数の映像機器にＳＤＩ信号を配信したり多数の映像機器の系統切替を行ったりするために、ビデオジャック装置は、図２に示すリクロッカ内蔵型ビデオジャックユニット９を多数個配置した構造となっている。
【００３１】
図４は、図２に示すリクロッカ内蔵型ビデオジャックユニットが多数個配置されたビデオジャック装置の外観斜視図である。図４に示すように、本発明のビデオジャック装置３は、複数のリクロッカ内蔵型ビデオジャックユニット９ａ，９ｂ…９ｎ及びそれらを駆動する電源となる電源ユニット（つまり、電源供給手段）１０を筐体パネル１６の奥部に並べた構造になっている。
【００３２】
なお、筐体パネル１６の表面には、各リクロッカ内蔵型ビデオジャックユニット９ａ，９ｂ…９ｎの対応する位置において、上段には出力側ジャック６ａ，６ｂ…６ｎが設けられ、下段には入力側ジャック７ａ，７ｂ…７ｎが設けられている。このような構成のビデオジャック装置３により、多数の信号系統から入力されたＳＤＩ信号を各リクロッカ内蔵型ビデオジャックユニット９ａ，９ｂ…９ｎによってそれぞれ個別に系統切り替えしながら位相補償を行うことによって、多数の映像機器へ信号位相の補償されたＳＤＩ信号を配信することができる。
【００３３】
また、各ビデオジャックユニット９ａ，９ｂ…９ｎはスイッチ機構を持ち、各入力側ジャック７ａ，７ｂ…７ｎや各出力側ジャック６ａ，６ｂ…６ｎにプラグを差し込むと、それぞれ異なった回路が形成されるようになっている。また、各ビデオジャックユニット９ａ，９ｂ…９ｎには結合終端型と分離終端型があり、それぞれの型によって異なったスイッチ動作モードを行う。
【００３４】
ここで、本発明のビデオジャック装置における詳細説明の理解を容易にするために、ビデオジャック装置の切り替え動作について、はじめに説明する。図５は、ビデオジャック装置における端子配列を示す構成図である。図５に示すように、ビデオジャック装置３は、多数の入力端子Ｐ１，Ｐ２，Ｐ３…Ｐｎと出力端子Ｑ１，Ｑ２，Ｑ３…Ｑｎが配列された構造になっていて、局外からの外部映像音声信号（外部ＳＤＩ信号）ｓａ１，ｓａ２…ｓａｎを受けて局内の各映像システムや各映像機器へ内部映像音声信号（内部ＳＤＩ信号）ｓｂ１，ｓｂ２…ｓａｎを分配している。
【００３５】
このとき、ビデオジャック装置３の各端子へ入力される外部ＳＤＩ信号Ｓａ１，ｓａ２…ｓａｎは、ノイズやジッタなどによって信号位相の乱れの状態がそれぞれ異なっている。また、各外部ＳＤＩ信号ｓａ１，ｓａ２…ｓａｎの信号位相の乱れは局外においては何ら補償されていない。したがって、ＳＤＩ信号が局内へ配信される最初の段階（つまり、ビデオジャック装置３）で各外部ＳＤＩ信号ｓａ１，ｓａ２…ｓａｎをリクロックして信号位相の乱れを補償する必要がある。
【００３６】
図６および図２に示すように、ビデオジャックユニット４の一方の側には上段に出力側ジャック６、下段には入力側ジャック７が設けられ、対応する他方の側には上段にＢＮＣコネクタ８ａ、下段にはＢＮＣコネクタ８ｂが設けられている。ＢＮＣコネクタ８ａ，８ｂは同軸ケーブル用の小型コネクタでる。
【００３７】
図６は、結合終端型の１個のビデオジャックユニットの回路構成において、出力側ジャックと入力側ジャックの何れにもプラグを接続しない状態を示す回路図である。図６において、ビデオジャックユニット４は、上段の出力側ジャック６とそれに対応する上段のＢＮＣコネクタ８ａとの間には２連スイッチ１１ａ，１１ｂと終端抵抗１３が回路構成されている。また、下段の入力側ジャック７とそれに対応する下段のＢＮＣコネクタ８ｂとの間には２連スイッチ１２ａ，１２ｂと終端抵抗１４が回路構成されている。なお、終端抵抗１３、１４の他端はシグナルグランドＳＧに接続されている。
【００３８】
図６では、上段の出力側ジャック６にも下段の入力側ジャック７にもプラグを挿入しないとき、つまり、両プラグが非接続のときの２連スイッチの接点接続構成を示している。結合終端型の場合は、上段の出力側ジャック６と下段の入力側ジャック７に共にプラグを差し込まないときは、上段のＢＮＣコネクタ８ａと下段のＢＮＣコネクタ８ｂが接続されて、ＢＮＣコネクタ８ａの入力信号がビデオジャックユニット４内の配線経路を通過し、ＢＮＣコネクタ８ｂから出力信号として送出される。すなわち、上段のＢＮＣコネクタ８ａ−２連スイッチ１１ｂのｃａ接点−２連スイッチ１１ａのａｃ接点−２連スイッチ１２ａのｃａ接点−２連スイッチ１２ｂのａｃ接点−下段のＢＮＣコネクタ８ｂという回路が形成されて、上段のＢＮＣコネクタ８ａと下段のＢＮＣコネクタ８ｂが接続される。
【００３９】
図７は、結合終端型の１個のビデオジャックユニットの回路構成において、上段の出力側ジャック６のみにプラグを差し込んだ状態を示す回路図である。出力側ジャック６にプラグを差し込むと、図７に示すように、上段のＢＮＣコネクタ８ａからの入力信号は上段の出力側ジャック６から取り出され、かつ、下段のＢＮＣコネクタ８ｂは終端抵抗１３に接続される。
【００４０】
すなわち、上段のＢＮＣコネクタ８ａ−２連スイッチ１１ｂのｃｂ接点−上段の出力側ジャック６という回路が形成され、ＢＮＣコネクタ８ａの入力信号が出力側ジャック６から取り出せる。このとき、下段のＢＮＣコネクタ８ｂ−２連スイッチ１２ｂのｃａ接点−２連スイッチ１２ａのａｃ接点−２連スイッチ１１ａのｃｂ接点−終端抵抗１３という回路が形成されて、下段のＢＮＣコネクタ８ｂは終端抵抗１３に接続される。したがって、下段のＢＮＣコネクタ８ｂはグランドレベルに接続されるので、ＢＮＣコネクタ８ｂから不要なノイズなどが映像機器へ送出されることはない。
【００４１】
図８は、結合終端型の１個のビデオジャックユニットの回路構成において、下段の入力側ジャック７のみにプラグを差し込んだ状態を示す回路図である。下段の入力側ジャック７にプラグを差し込むと、図８に示すように、下段の入力側ジャック７より入力された信号は、下段のＢＮＣコネクタ８ｂから出力信号として送出され、かつ、上段のＢＮＣコネクタ８ａは終端抵抗１４に接続される。すなわち、下段の入力側ジャック７−２連スイッチ１２ｂのｂｃ接点―下段のＢＮＣコネクタ８ｂという回路が形成され、下段の入力側ジャック７より入力された信号は下段のＢＮＣコネクタ８ｂより出力信号として送出される。
【００４２】
このとき、上段のＢＮＣコネクタ８ａ−２連スイッチ１１ｂのｃａ接点−２連スイッチ１１ａのａｃ接点−２連スイッチ１２ａのｃｂ接点−終端抵抗１４という回路が形成されて、上段のＢＮＣコネクタ８ａは終端抵抗１４に接続される。したがって、上段のＢＮＣコネクタ８ａはグランドレベルに接続されるので、使用しない入力信号は上段のＢＮＣコネクタ８ａからシグナルグランドＳＧへ落とされる。
【００４３】
以上のように動作するビデオジャック装置の技術的背景に基づいて、ビデオジャック装置の実施の形態をさらに詳細に説明する。図２のようなリクロッカ内蔵型ビデオジャックユニット９を複数個並べて構成した図４のようなビデオジャック装置３を実現した。これによって、ビデオジャック装置の内部で、複数のリクロッカ内蔵型ビデオジャックユニット９ａ，９ｂ…９ｎの各々に入力されるＳＤＩ信号のリクロック処理を行い、局内の多数の映像機器に配信されるＳＤＩ信号の位相補償をして信号の信頼性を確保している。
【００４４】
ここで、図４に示す各リクロッカ内蔵型ビデオジャックユニット９ａ，９ｂ…９ｎは、前記の図６ないし図８と同様のスイッチ機構を持ち、各入力側ジャック７ａ，７ｂ…７ｎや各出力側ジャック６ａ，６ｂ…６ｎにプラグを差し込むと、プラグの差し込み方によってそれぞれ異なった回路が形成されるようにスイッチモードの動作が行われることは前記と同様である。
【００４５】
また、筐体パネル１６の表面には、ビデオジャック装置３への入力信号の有無や、リクロック回路の電源の状態、及び入力信号の状態（例えば、ハイビジョンコンポーネント信号をＲＧＢ信号に変換するＣＲＣ（Ｃｏｍｐｏｎｅｎｔ  ＲＧＢ  Ｃｏｎｖｅｒｔｅｒ）の状態）を監視・通知する機能として、ＬＥＤ１７，１８などの光電素子（つまり、表示手段）やブザー１９が設けられている。なお、図４では図示されていないが、それぞれのリクロッカ内蔵型ビデオジャックユニット９ａ，９ｂ…９ｎの表面にも、入力信号の有無とリクロック回路の電源状態を表示するＬＥＤ、及びＣＲＣ表示用のＬＥＤが設けられている。
【００４６】
図４の電源ユニット１０は、一般に用いられているＲＣＣ（Ｒｉｎｇｉｎｇ  Ｃｈｏｋｅ  Ｃｏｉｌ）型やフライバックトランス型のスイッチング回路からなるＤＣ−ＤＣコンバータの定電圧安定化電源であるが、電源回路を並列冗長させるために定電圧安定化電源を２組並列に接続して電源系統を二重化している。また、ＬＥＤ１７は、入力信号の有無やリクロック回路の電源状態を表示し、例えば、「緑」の点灯で電源ＯＫであって入力信号あり、「オレンジ」の点灯で電源ＯＫであって入力信号なしの状態を表示する。さらに、ＬＥＤ１７はＣＲＣ表示を行い、例えば、「緑」の点灯でエラーなしの表示、「赤」の点灯でエラーの表示を行う。また、ブザー１８は、例えば、前記のスイッチモードを変更したときやエラーが発生した時に、それぞれ異なった音色や音の間隔を変えて対応する報知を行う。
【００４７】
次に、図３に示すリクロッカ内蔵型ビデオジャックユニットの回路構成と動作について詳細に説明する。図３において、リクロッカ内蔵型ビデオジャックユニット９は、前記の従来型と全く同じ回路構成のビデオジャックユニット４と、リクロック回路によって構成されたリクロッカ５と、リクロッカ５へ電源を供給する電源ユニット１０とを備えている。図３のビデオジャックユニット４は、上段の出力側ジャック６と下段の入力側ジャック７の両方にプラグを差し込まない状態を示しているので、前記の図７の回路構成と全く同じであるが、信号を入出力するＢＮＣコネクタが存在していた位置に相当する端子ｉ，ｏでリクロッカ５の入力側と接続されている。したがって、入力信号が受信される上段のＢＮＣコネクタ８ａと出力信号が送信される下段のＢＮＣコネクタ８ｂはリクロッカ５の入出力側に設けられている。
【００４８】
図３において、ビデオジャックユニット４の回路構成につては既に説明済みであるので重複説明は省略する。リクロッカ５を構成するリクロック回路は、ビデオジャックユニット４からの出力信号に位相ロックされた基準周波数のクロック信号を送信するＰＬＬ（Ｐｈａｓｅ  Ｌｏｃｋｅｄ  Ｌｏｏｐ）発振器２１と、クロック信号のノイズを除去するためのインバータＩＣからなるバッファ２２，２３と、クロック信号のトリガによってビデオジャックユニット４から入力されるＳＤＩ信号の位相をリクロックして位相補正を行うＤフリップフロップ２４とを備えている。なお、ＰＬＬ発振器２１は、ビデオジャックユニット４からの出力信号とＶＣＯ（電圧制御発振器）２１ｂから出力されたクロック信号との位相比較を行う位相比較器２１ａと、位相比較器２１ａからフィードバックされた位相差信号に基づいて、ビデオジャックユニット４からの出力信号とクロック信号との位相差をゼロにするような制御を行うＶＣＯ２１ｂとを備えた構成となっている。また、電源ユニット１０は、ＰＬＬ発振器２１などを駆動するための定電圧電源Ｖｃｃをリクロッカ５へ供給しており、ここでは、図４に示すように、この電源ユニット１０は１台でビデオジャック装置３の全てのリクロッカ内蔵型ビデオジャックユニット９ａ，９ｂ…９ｎへ電源を供給している。
【００４９】
次に、図３に示すリクロッカ内蔵型ビデオジャックユニット９の動作について説明する。このリクロッカ内蔵型ビデオジャックユニット９では、終端結合型のビデオジャックユニット９において、上段のＢＮＣコネクタ８ａから入力された入力信号を下段のＢＮＣコネクタ８ｂから出力信号として取り出す場合にＳＤＩ信号をリクロックする動作について説明する。
【００５０】
図６の場合と同様に、上段の出力側ジャック６と下段の入力側ジャック７にはプラグを差し込まないので、２連スイッチ１１ａ，１１ｂと２連スイッチ１２ａ，１２ｂは図３に示すような接点の接続構成となり、上段のＢＮＣコネクタ８ａ−端子ｉ−２連スイッチ１１ｂのｃａ接点−２連スイッチ１１ａのａｃ接点−２連スイッチ１２ａのｃａ接点−２連スイッチ１２ｂのａｃ接点−端子ｏの経路が形成される。これによって、ビデオジャックユニット４の入力信号用の端子ｉと出力信号用の端子ｏの閉回路が形成される。
【００５１】
したがって、上段のＢＮＣコネクタ８ａから入力された入力信号（ＳＤＩ信号）は、そのままビデオジャックユニット４の出力信号としてリクロッカ５のＤフリップフロップ２４のＤ端子に入力される。一方、リクロッカ５においては、ＰＬＬ発振器２１の位相比較器２１ａが、ビデオジャックユニット４の出力信号（すなわち、ＢＮＣコネクタ８ａから入力された入力信号（ＳＤＩ信号））とＶＣＯ２１ｂから出力されたクロック信号との位相を比較し、この位相差信号をＶＣＯ２１ｂへフィードバックしている。したがって、ＶＣＯ２１ｂは位相差信号をゼロにするような制御を行うので、ビデオジャックユニット４の出力信号に位相ロックされたクロック信号がＶＣＯ２１ｂから出力され、バッファ２２へ入力される。これによって、バッファ２２の出力にはノイズやジッタの除去されたクロック信号が出力されるが、位相が１８０°反転しているので、再びバッファ２３を通過させて元の位相のクロック信号としてＤフリップフロップ２４のクロック端子（ＣＬ端子）へ入力する。
【００５２】
これによって、Ｄフリップフロップ２４のＤ端子に入力されたＳＤＩ信号の位相は、クロック端子（ＣＬ端子）に入力されたクロック信号によってリクロックされる。したがって、上段のＢＣＮコネクタ８ａからＳＤＩ信号を入力すると、Ｄフリップフロップ２４のＱ端子から位相補償されたＳＤＩ信号が下段のＢＮＣコネクタ８ｂへ送出される。よって、上段のＢＮＣコネクタ８ａから入力された入力信号（入力ＳＤＩ信号）はリクロッカ５で位相補償されて、下段のＢＮＣコネクタ８ｂから出力信号（出力ＳＤＩ信号）として映像システムや映像機器へ送信される。なお、リクロッカ５に構成されるリクロック回路は図３に示す回路に限定するものではなく、入力されたＳＤＩ信号をリクロックできる回路であればどのような回路であっても構わない。
【００５３】
以上のような動作により、図２のリクロッカ内蔵型ビデオジャックユニット９において、ビデオジャックユニット４は、上段の出力側ジャック６と下段の入力側ジャック７の両方にプラグを差し込まないときは、上段のＢＮＣコネクタ８ａから入力された入力信号をリクロッカ５へ入力するように配線経路を切り替える。したがって、リクロッカ５は入力されたＳＤＩ信号のリクロックを行い、下段のＢＮＣコネクタ８ｂより位相補償されたＳＤＩ信号を映像機器へ送出する。これによって、入力信号がジッタなどによって位相ズレしていても、リクロッカ５が入力信号の位相ズレを補償するので、ＢＮＣコネクタ８ｂから出力されるＳＤＩ信号の品質は安定している。
【００５４】
ところで、一般的に、ＢＮＣコネクタ８ａから入力される入力信号は、伝送路の状態によってどのような状態の外部信号が入力されるか分からないし、また伝送路の途中で入力信号の位相が補償されるという保証もない。さらに、入力側ジャック７から入力される信号についても位相が補償されている保証もない。したがって、図２に示すように、リクロッカ５は一般的に出力信号側に設けることが望ましい。しかし、映像システムや映像機器の運用の必要性に応じて、リクロッカを入力信号側に設けたり、出力信号側と入力信号側の両方に設けても構わない。
【００５５】
また、図２に示すように、それぞれのリクロッカ内蔵型ビデオジャックユニット９において、出力側ジャック６及び入力側ジャック７が設けられている側の表面パネルにはＬＥＤ１７ａ及びＬＥＤ１８ａが設けられている。ＬＥＤ１７ａは、入力信号の有無やリクロック回路の電源状態を表示し、例えば、「緑」の点灯で電源ＯＫであって入力信号あり、「オレンジ」の点灯で電源ＯＫであって入力信号なしの状態を表示する。さらに、ＬＥＤ１８ａはＣＲＣ表示を行い、例えば、「緑」の点灯でエラーなしの表示、「赤」の点灯でエラーの表示を行う。このように、２種類のＬＥＤによって入力信号の有無とリクロック回路の電源状態、及びＣＲＣ表示の弁別を行うことによってユーザの使い勝手が一段と向上する。なお、前記のＬＥＤの個数や色は一例であって、ユーザが使い勝手のよいようにＬＥＤの個数や表示色を適宜変えても構わない。
【００５６】
また、通常のリクロック回路には、ＰＬＬの位相ロックが完了したときに、位相同期されたＳＤＩ信号が正常に入力されているか否かを示す位相ロック正常信号を出力する機能を備えている。したがって、この位相ロック正常信号を用いてＬＥＤを点灯させることにより、入力信号の有無の状態やリクロック回路の電源状態の監視・通知機能をビデオジャック装置に持たせることができる。
【００５７】
以上のように本実施の形態は本発明を説明するための一例であり、本発明は、前記の実施の形態に限定されるものではなく、発明の要旨の範囲で種々の変形が可能である。前記の実施の形態では、図２に示すように個別のビデオジャックユニット４にリクロッカ５を設けたが、多段構成のリクロッカ一台によって各ビデオジャックユニット４へクロック信号を分配するようにしてもよい。その場合は、例えば、図４における電源ユニット１０の隣に多段構成のリクロッカを設置し、各ビデオジャックユニット（図４では各リクロッカ内蔵型ビデオジャックユニット９ａ，９ｂ…９ｎが配置されている位置に対応するビデオジャックユニット）へクロック信号を分配してもよい。
【００５８】
また、本発明の応用例として、ビデオジャックユニットに入力される映像音声信号の電気特性を利用して電源を必要としないビデオジャック装置の仕組みに展開することもできる。さらに、本発明のビデオジャック装置で実現したリクロッカ内蔵型ビデオジャックユニットにリクロック回路以外の別途付加機能を持たせることもできる。別途付加機能としては、例えば、映像音声信号を処理するときに複数入力のカラー位相調整機能を持たせたり、音声信号を処理するときに最大ピーク合わせ機能を持たせたり、人為的エラー防止機能などを持たせることができる。
【００５９】
人為的エラー防止機能としては、例えば、映像音声信号を生成した映像機器の機器ＩＤや、伝送路を経由してきた映像機器やビデオジャック装置などの機種情報に基づいて、映像機器の運用者が定められた設定とは異なる接続や操作をした場合にミスを通知する報知機能を設けることもできる。また、本発明のビデオジャック装置を映像音声信号の伝送環境改善に役立てるシステムに展開することもできる。さらに、本発明のビデオジャック装置は、ＳＤＩ信号のアンシラリの特定エリアを利用して、信号を生成した映像機器の機器ＩＤ、伝送路を経由してきた映像機器やビデオジャック装置、映像機器の多段構成の段数、ＥＲ（Ｅｌｅｃｔｒｏ‐Ｒｅｆｌｅｃｔａｎｃｅ）やＣＲＣ等の履歴データなどを伝送したり管理したりすることもできる。
【００６０】
【発明の効果】
以上説明したように、本発明のビデオジャック装置によれば、外部から信号品質レベルの様々な映像音声信号、例えばハイビジョンＳＤＩ信号が入力されても、放送局の入口に設けられたビデオジャック装置によって高品質なハイビジョンＳＤＩ信号に補償して各映像システムや各種映像機器へ配信することができる。したがって、本発明のビデオジャック装置を用いることによって、各映像システムや各種映像機器に高性能な信号補償回路を設ける必要がなくなるので、簡単なシステム構成で信号品質の高い放送システムを構築することができる。
【００６１】
また、本発明のビデオジャック装置によれば、ハイビジョンＳＤＩ信号の伝送路における信号劣化を補償することができると共に、ハイビジョンＳＤＩ信号を入出力する映像機器が多段接続されたときの信号劣化を補償することもできる。例えば、映像機器の初段に設置するビデオジャック装置に強力なリクロック機能をもたせてＳＤＩ信号の信頼性を確保することにより、番組制作などの運用面において映像音声信号の安定性を確保することができるので、映像機器そのものの高性能化が必ずしも必須でなくなる。また、ビデオジャック装置にリクロック回路を内蔵することによって、映像システムや映像機器には高性能なリクロック回路が不要となるので、映像システムの省スペース化や映像機器の小型軽量化を図ることができる。
【００６２】
さらに、ビデオジャック装置だけでＳＤＩ信号の信号補償を行うことが可能となり、結果的に、放送局内での映像機器の多段接続時の信頼性が一段と向上する。また、ビデオジャック装置によって入力信号の有無やエラーなどの状態を把握することができるので、映像音声信号の障害発生時に迅速な対応を取ることができる。さらに、放送局システム内のリクロック機能をビデオジャック装置に集約することができるので、映像システムや映像機器には高性能なリクロック回路が不要とり、放送局の全システムのスペース削減及び放送運用コストの低減化を図ることができる。
【図面の簡単な説明】
【図１】映像システムや映像機器の前後に設けたビデオジャック装置の概念図である。
【図２】本発明のビデオジャック装置を実現するためのリクロッカ内蔵型ビデオジャックユニットの外観斜視図である。
【図３】図２に示すリクロッカ内蔵型ビデオジャックユニットの回路図の一例である。
【図４】図２に示すクロッカ内蔵型ビデオジャックユニットが多数個配置された本発明のビデオジャック装置の外観斜視図である。
【図５】ビデオジャック装置における端子配列の構成図である。
【図６】結合終端型の１個のビデオジャックユニットの回路構成において、出力側ジャックと入力側ジャックの何れにもプラグを接続しない状態を示す回路図である。
【図７】結合終端型の１個のビデオジャックユニットの回路構成において、上段の出力側ジャックのみにプラグを差し込んだ状態を示す回路図である。
【図８】結合終端型の１個のビデオジャックユニットの回路構成において、下段の入力側ジャックのみにプラグを差し込んだ状態を示す回路図である。
【符号の説明】
１  映像システム
２ａ，２ｂ  映像機器
３，３ａ，３ｂ，３ｃ，３ｄ，３ｅ  ビデオジャック装置
４，ビデオジャックユニット（配線経路切替手段）
５  リクロッカ（再同期手段）
６，６ａ，６ｂ…６ｎ  出力側ジャック
７，７ａ，７ｂ…７ｎ  入力側ジャック
８ａ，８ｂ  ＢＮＣコネクタ
９，９ａ，９ｂ…９ｎ  リクロッカ内蔵型ビデオジャックユニット（映像音声信号ジャックユニット）
１０  電源ユニット（電源供給手段）
１１ａ／１１ｂ，１２ａ／１２ｂ  ２連スイッチ
１３，１４  終端抵抗
１６  筐体パネル
１７，１８，１７ａ，１８ａ  ＬＥＤ（表示手段）
１９  ブザー
２１  ＰＬＬ発振器
２１ａ  位相比較器
２１ｂ  ＶＣ０（電圧制御発振器）
２２，２３  バッファ
２４  Ｄフリップフロップ
【図１】
2004320291.tif 000003
【図２】
2004320291.tif 000004
【図３】
2004320291.tif 000005
【図４】
2004320291.tif 000006
【図５】
2004320291.tif 000007
【図６】
2004320291.tif 000008
【図７】
2004320291.tif 000009
【図８】
2004320291.tif 000010